(57)【要約】  【課題】  パラボラアンテナの取り出し作業工数を削減して取り出し時の手間を減らすこと、ゴミの発生量を最小限に抑えること、梱包装置に必要な資材を減らしてコストを低減することを実現するアンテナ梱包装置を提供する。  【解決手段】  一端面が全面的に開閉可能な立方体状または直方体状の外装箱２と、外装箱２内に前記一端開放面側へ引き出し可能に挿入され、パラボラアンテナＡの梱包台数と対応する段数に外装箱内を上下方向で仕切る複数の仕切り部材３と、各仕切り部材３上に載置されるパラボラアンテナＡのリフレクタＡ１を包み込むように周囲の側辺を四角形状の天板４ａに対し下向きに垂直に折り曲げた方形の箱形部材４とを備え、箱形部材４の天板４ａのほぼ中央部にはパラボラアンテナＡのマウント本体Ａ２を嵌め込み可能な開口部４ｂを設けるとともに、天板４ａ上にコンバータＡ５を先端に支持するコンバータアームＡ４を固定するための嵌合溝４ｇを有する折り返し片４ｆを、天板４ａに設けている。【選択図】    図２
2011046409.tif 000002
【特許請求の範囲】
【請求項１】
複数台のパラボラアンテナを梱包するアンテナ梱包装置であって、
一端面が全面的に開放可能な立方体状または直方体状の外装箱と、前記外装箱内に前記一端開放面側へ引き出し可能に挿入され、前記パラボラアンテナの梱包台数と対応する段数に前記外装箱内を上下方向で仕切る複数の仕切り部材と、前記各仕切り部材上に載置される前記パラボラアンテナのリフレクタを包み込むように周囲の側辺を四角形状の天板に対し下向きに垂直に折り曲げた方形の箱形部材とを備え、
前記箱形部材の天板のほぼ中央部には前記パラボラアンテナのマウント本体を嵌め込み可能な開口部を設けるとともに、前記天板上にコンバータを先端に支持するコンバータアームを固定するための嵌合溝を有する折り返し片を、前記天板に設けたことを特徴とするアンテナ梱包装置。
【請求項２】
前記箱形部材の天板に前記コンバータを嵌め込み可能な嵌合口を設けることを特徴とする請求項１に記載のアンテナ梱包装置。
【請求項３】
前記パラボラアンテナと対をなすベランダ取付金具を梱包するとともに、前記天板の開口部から上方に突出させたマウント本体が下方へ抜け出すのを防止する横断面凹状の抜け止め部材を、前記マウント本体と前記リフレクタとの隙間に挿入することを特徴とする請求項１または２に記載のアンテナ梱包装置。
【請求項４】
前記マウント本体を取り囲み可能で下向けに突出する差込片を有する略方形状の枠体からなる緩衝部材を設け、前記緩衝部材の差込片を差込可能な差込孔を前記天板に設けることを特徴とする請求項１〜３のいずれかに記載のアンテナ梱包装置。
【請求項５】
前記外装箱、前記仕切り部材、前記抜け止め部材および前記緩衝部材を、それぞれ一枚の段ボール紙から形成することを特徴とする請求項１〜４のいずれかに記載のアンテナ梱包装置。
【請求項６】
前記各仕切り部材は前後方向の両端を開放し、両側には底面に対し連続して側辺をそれぞれＬ状またはコの字状に折り曲げ可能に設けることを特徴とする請求項１〜５のいずれかに記載のアンテナ梱包装置。
【発明の詳細な説明】
【技術分野】
【０００１】
本発明は、複数台のアンテナ装置（パラボラアンテナ）を梱包するための梱包装置に関する。詳しくは、主に量販店やアンテナ工事業者などが使用するのに好適なアンテナ梱包装置に関するものである。
【背景技術】
【０００２】
この種の梱包装置では、従来、一つのアンテナ装置は一つの梱包装置にて梱包するように構成されている。たとえばＵＨＦや地上デジタル放送受信用の八木式アンテナの場合、図７に示すように、上方に開閉可能な上蓋７１を備えた横長の梱包装置７０内に一本ずつ収容されている。梱包装置７０は通常、段ボール紙の箱からなり、梱包装置７０の両側は二重に重ね合わされて立設された側面７２を備え、一方の側面７２に八木式アンテナ８０のアーム本体の一端８１が当接され、他方の側面７２にアーム本体の他端８２が反射器支持フレーム８３を折り畳んだ状態で当接されている。また、梱包装置７０の前面７４はコの字状に折り曲げられ、上蓋７１の前縁に連接（連続して接続）された一対のフラップ辺７５に形成された差込口７５ａに、前面７４の切欠き部７６に対応して形成された差込片７６ａを差し込んで係止可能になっている。上蓋７１は梱包装置７０のコの字状に折り曲げられる後面に連接され、直角に折り曲げ可能であり、上蓋７１の両側には直角に側面７７が連接されている。さらに、八木式アンテナ８０のがたつきを防止するため、発泡スチロールなどの発泡樹脂からなる直方体状の中子７９が八木式アンテナ８０の長さ方向のほぼ中間位置に装着されている。
【０００３】
ＢＳおよびＣＳ放送受信用のパラボラアンテナの場合にも、一つのアンテナ装置は一つの梱包装置に梱包されて保管および搬送されているが、その梱包装置の一例としてつぎのような装置が提案されている。この梱包装置は、外装箱および中当て緩衝材からなり、同中当て緩衝材は、中心部の左右にリフレクタを左右から挟持するための略コ字状の折曲部を設け、両端を夫々略口字状に折曲し、先端部分に夫々差込片を形成するとともに折曲にて同差込片に対応する位置に差込穴を穿設して差込片を差込み、同略口字状の折曲部に、リフレクタ背面のポール取付具を差込むポール取付具固定穴と、コンバータ付アームを固定するコンバータ付アーム固定穴とを穿設してなり、コンバータ付アームを同コンバータ付アーム固定穴によって保持し、前記略コ字状の折曲部の上片をリフレクタの背面に沿わせて台形状に折曲し、前記略口字状の折曲部に穿設したポール取付具固定穴にリフレクタ背面のポール取付具を差込んで保持するとともにリフレクタを位置決めし、外装箱に収納するようにしたものである（たとえば、特許文献１参照）。
【先行技術文献】
【特許文献】
【０００４】
【特許文献１】特開平８−５８８７５号公報
【発明の概要】
【発明が解決しようとする課題】
【０００５】
上記したように、従来のアンテナ梱包装置では、複数台のアンテナ装置を１台ずつ設置してまわる場合、１台のアンテナ装置が梱包された梱包装置を複数個、バンタイプやワゴンタイプの普通自動車やトラックタイプの貨物自動車などの荷台に搭載し、各設置場所へ搬送している。そして、設置場所に到着すると、１台のアンテナ装置を梱包装置に収容した状態で現場まで運搬しなければならない。アンテナ装置だけでなく、その梱包装置も比較的重量がある。しかも、梱包装置の蓋を開放し、装置内のアンテナ装置を緩衝材ごと取り出さねばならない。アンテナ装置は、外傷を防ぐために緩衝材に対し不用意に動かないように嵌め込むなどして、堅固に固定されているので、緩衝材から抜き取るのに手間がかかる。
【０００６】
さらに、梱包装置の主要部である外装箱や緩衝材、アンテナ装置を収納しているビニール袋あるいは緩衝材に対しアンテナ装置を固定するための固定部材などはゴミとして廃棄する必要がある。これらの部材は、通常、リサイクルされずに廃棄されるので、アンテナ装置の設置後に清掃して持ち帰らなければならない。
【０００７】
本発明は上述の点に鑑みなされたもので、パラボラアンテナの取り出し作業工数を削減して取り出し時の手間を減らすこと、ゴミの発生量を最小限に抑えること、梱包装置に必要な資材を減らしてコストを低減することを可能とするアンテナ梱包装置を提供しようとするものである。
【課題を解決するための手段】
【０００８】
上記の目的を達成するために本発明に係るアンテナ梱包装置は、複数台のパラボラアンテナを梱包するアンテナ梱包装置であって、一端面が全面的に開放可能な立方体状または直方体状の外装箱と、前記外装箱内に前記一端開放面側へ引き出し可能に挿入され、前記パラボラアンテナの梱包台数と対応する段数に前記外装箱内を上下方向で仕切る複数の仕切り部材と、前記各仕切り部材上に載置される前記パラボラアンテナのリフレクタを包み込むように周囲の側辺を四角形状の天板に対し下向きに垂直に折り曲げた方形の箱形部材とを備え、前記箱形部材の天板のほぼ中央部には前記パラボラアンテナのマウント本体を嵌め込み可能な開口部を設けるとともに、前記天板上にコンバータを先端に支持するコンバータアームを固定するための嵌合溝を有する折り返し片を、前記天板に設けたことを特徴とする。
【０００９】
上記構成を有するアンテナ梱包装置によれば、運搬中は外装箱内の各パラボラアンテナは、段状の前記各仕切り部材上において下向きのリフレクタが前記箱形部材の側辺に包まれた状態で載置されるとともに、マウント本体が天板の開口部に下から嵌め込まれ固定される。また箱形部材は外装箱の前後の蓋により前後方向の動きが、また仕切り部材の両側部により左右の動きが阻止される。さらに、コンバータアームは前記箱形部材に前記折り返し片の嵌合溝により固定される。この結果、運搬中にパラボラアンテナに外傷が付いたり同パラボラアンテナが損壊したりすることがない。一方、梱包装置内のパラボラアンテナは、外装箱の一端面の蓋を開放した状態で、箱形部材を前方の開放部側へ仕切り部材上をスライドさせて引き出した後、箱形部材から簡単に取り外すことができる。したがって、たとえばライトバンタイプの自動車の荷台に複数台のパラボラアンテナを収納したアンテナ梱包装置を載せて設置場所へ搬送する場合、荷台の後方に外装箱の開放部を向けておけば、設置場所でパラボラアンテナを簡単に取り出すことができる。このようにしてパラボラアンテナをベランダ等に設置することができ、従来と違ってパラボラアンテナ１台ごとに梱包装置の蓋を開ける必要がないから、パラボラアンテナの取り出しに手間がかからない。また、箱形部材だけがゴミとして発生するため、箱形部材だけを回収して持ちかえれば済み、清掃作業や後片付け作業が容易である。
【００１０】
請求項２に記載のように、前記箱形部材の天板に前記コンバータを嵌め込み可能な嵌合口を設けることが好ましい。
【００１１】
このようにすれば、パラボラアンテナのコンバータアームを折り返し片の嵌合溝で支持するだけでなく、天板に設けた開口部を先端のコンバータを嵌め込んで支持できるので、コンバータアームを一層確実に固定できる。
【００１２】
請求項３に記載のように、前記パラボラアンテナと対をなすベランダ取付金具を梱包するとともに、前記天板の開口部から上方に突出させたマウント本体が下方へ抜け出すのを防止する横断面凹状の抜け止め部材を、前記マウント本体と前記リフレクタとの隙間に挿入するようにしてもよい。
【００１３】
このようにすれば、天板の開口部内に嵌め込んだマウント本体の下方への抜け出しを抜け止め部材で阻止できる。
【００１４】
請求項４に記載のように、前記マウント本体を取り囲み可能で下向けに突出する差込片を有する略方形状の枠体からなる緩衝部材を設け、前記緩衝部材の差込片を差込可能な差込孔を前記天板に設けることができる。
【００１５】
このようにすれば、マウント本体を緩衝部材で取り囲むことができ、運搬中に外傷が付くのを防止するとともに、緩衝部材の高さを外装箱の天板あるいは上側の仕切り部材の底面に当接させることで、運搬中のパラボラアンテナおよび箱形部材の上下方向の振動などを確実に防止することができる。
【００１６】
請求項５に記載のように、前記外装箱、前記仕切り部材、前記抜け止め部材および前記緩衝部材を、それぞれ一枚の段ボール紙から形成することができる。
【００１７】
このようにすれば、アンテナ梱包装置を構成する外装箱・仕切り部材・抜け止め部材・緩衝部材をそれぞれ１枚の段ボール紙からプレス機等で打ち抜いて形成できるから、低コストで製作できる上に、廃棄する場合には発泡樹脂に比べて有毒ガスの発生がなく焼却が容易で、廃棄が楽であり、リサイクルも可能である。また、外装箱や仕切り部材あるいは箱形部材などは繰り返し使用することが可能で、無駄がないので、経済的である。
【００１８】
請求項６に記載のように、前記各仕切り部材は前後方向の両端を開放し、両側には底面に対し連続して側辺をそれぞれＬ状またはコの字状に折り曲げ可能に設けることができる。
【００１９】
このようにすれば、各仕切り部材の両側には全長にわたり連続する一定高さの側辺または先端側をＬ字状に内側に折り曲げた側辺が垂直に立設されているため、複数の仕切り部材を順番に重ね合わせて外装箱内に挿入するだけで、各仕切り部材を側辺で支持して引き出し可能に構成することができる。これにより、特に仕切り部材を引き出し可能に支持するための部材を外装箱内に取り付ける必要がなく、構造が簡単である。
【発明の効果】
【００２０】
以上に説明したように、本発明に係るアンテナ梱包装置には、つぎのような優れた効果がある。
【００２１】
・パラボラアンテナの取り出し工数が少なく、簡単に取り出すことができる。
【００２２】
・ゴミとして発生する部材が少なく、作業終了後の清掃作業が簡単で、作業効率が向上する。
【００２３】
・梱包装置を構成する部材の大部分は複数回繰り返して使用できるので、省資源化に優れている。
【図面の簡単な説明】
【００２４】
【図１】３台のパラボラアンテナを梱包可能なアンテナ梱包装置の実施例を示すもので、外装箱の一端面を開放した状態を示す正面上方より見た斜視図である。
【図２】図１のアンテナ梱包装置からパラボラアンテナを箱形部材とともに引き出した状態を示す斜視図である。
【図３】引き出した状態の図２に示す箱形部材において抜け止め部材および緩衝部材を取り外した状態を示す斜視図である。
【図４】外装箱を展開した状態を示す平面図である。
【図５】（ａ）は仕切り部材を展開した状態を示す平面図で、（ｂ）は箱形部材を展開した状態を示す平面図である。（ｃ）は緩衝部材を展開した状態を示す平面図で、（ｄ）は抜け止め部材を展開した状態を示す平面図である。
【図６】（ａ）は本例のアンテナ梱包装置に収納されるパラボラアンテナＡの正面図で、（ｂ）は同右側面図、（ｃ）はベランダ取付金具Ｂ１の右側面図である。
【図７】従来の一般的な１台入りの八木式アンテナ用梱包装置において上蓋を開放した状態を示す斜視図である。
【発明を実施するための形態】
【００２５】
以下、本発明に係るアンテナ梱包装置について実施の形態を図面に基づいて説明する。
【００２６】
図１に示すように、アンテナ梱包装置１は、長手方向の一端面が開閉可能な外装箱２と、この外装箱２内の長手方向に沿って引き出し可能に挿入され、外装箱２内を梱包するパラボラアンテナＡの台数（本例では３台）と一致する段数に仕切るための仕切り部材３と、各仕切り部材３上に引き出し可能に載置され、パラボラアンテナＡをコンバータアームＡなどとともに固定する箱形部材４と、マウント本体Ａ２やコンバータアームＡ４などを取り囲む緩衝部材５と、マウント本体Ａ２の抜け止め用の抜け止め部材６とを備えている。これらの部材２〜６は、図４および図５に示すように本例ではそれぞれ１枚の段ボール紙からプレス機などで打ち抜いて形成される。
【００２７】
図６に示すように、梱包されるアンテナ装置はパラボラアンテナＡで、リフレクタＡ１の背面中央部にマウント本体Ａ２が突設され、略Ｖ状のコンバータアームＡ４の基端部がマウント本体Ａ２に固定され、コンバータアームＡ４の先端にコンバータＡ５が装着される。また、このパラボラアンテナＡは通常、ベランダの手摺りなどに取り付けられるために、ベランダ取付金具Ｂ１がパラボラアンテナＡと一緒に梱包される。ベランダ取付金具Ｂ１の略Ｌ形のポールＢ３に対しマウント本体Ａ２の背面とポール押さえ金具Ａ３とで挟持して、パラボラアンテナＡが固定される。
【００２８】
外装箱２は一端面（図４の左側）の４枚の蓋２１を点線２８に沿って外側へ折り曲げることにより全面的に開放可能な直方体の箱からなる。図４に示す段ボール紙を奥行き(左右）方向の点線２２〜２５に沿って順に内側に直角に折り曲げ、図４の右側の４枚の蓋２７を点線２９に沿って内側へ折り曲げ、のりしろ２６と蓋２７とにそれぞれ接着剤を接着して図１に示すように直方体状に組み立てられる。なお、一対の蓋２１の丸穴にはそれぞれ鳩目（図示せず）が取り付けられ、一方の鳩目に紐（図示せず）の一端が止着され、蓋２１を閉じた状態で紐を他方の鳩目に巻き付けることで、蓋２１を閉じた状態に保持できるようになっている。
【００２９】
仕切り部材３は、図４・図５に示すように外装箱２内に挿入できるように外装箱２内部の長さおよび幅に比べてそれぞれ若干短い寸法からなり、奥行き（長手）方向の両端が開放されている。仕切り部材３の両側には、図５（ａ）に示すように底面３ａに連続して設けられる一定幅の側辺３６の先端側３７を折り曲げ線３８に沿って内側に直角にＬ状に折り曲げ、さらに側辺３６を点線３９に沿って内側に垂直に折り曲げて形成される。本例の場合、側辺３６の奥行き方向の中間位置に長円形状の開口３６ａが設けられている。
【００３０】
箱形部材４は、図５（ｂ）に示すように仕切り部材３の長さ（奥行き寸法）および幅に比べて長さおよび幅がそれぞれ若干短い寸法で、図１に示すように仕切り部材３の底面３ａ上に引き出し（スライド）可能に載置される。図２・図３に示すように上方より見て長方形状の天板４ａの周囲、すなわち前後および左右に連続する側辺４１〜４５を、幅方向の点線４６および長手方向の点線４７に沿ってそれぞれ外側に垂直に折り曲げて立設する。右側の側辺４４・４５は本例では前後で２枚に分割されているが、分割せず１枚にすることもできる。天板４ａのほぼ中央部に略長方形の開口部４ｂが設けられ、この開口部４ｂ内に下からパラボラアンテナＡのマウント本体Ａ２が嵌め込まれる。開口部４ｂの前方には差込孔４ｃが設けられ、さらに前方で幅方向の中央には長円形の引き出し口４ｄが設けられている。パラボラアンテナＡのリフレクタＡ１は、下向きになった状態で５枚の側辺４１〜４５によって取り囲まれ保護される。
【００３１】
また、差込孔４ｃの一側方（右側方）には、コンバータアームＡ４のコンバータＡ５を嵌め込み可能な嵌合口４ｅが設けられている。開口部４ｂの後方には、幅方向に横長の長方形状の折り返し片４ｆが下端前縁の折り返し線４８に沿って上向きに折り返されている。折り返し片４ｆには、長手方向の一端部（左端部）にコンバータアームＡ４を嵌め込み可能な嵌合溝４ｇが形成され、また折り返し片４ｆのほぼ中央部には、ベランダ取付金具Ｂ１のポールＢ３を嵌め込み可能な開口４ｈが形成されている。この状態で、ベランダ取付金具Ｂ１は天板４ａ下方でリフレクタＡ１の上側に収納されている。また、ベランダ取付金具Ｂ１の押さえ金具Ｂ２は、単独でマウント本体Ａ２の前方でコンバータアームＡ４上に配置される。なお、図２・図３中の符号Ｃはビニール袋入りのアンテナケーブルなどの付属品である。
【００３２】
緩衝部材５は、図５（ｃ）に示す段ボール紙の両端部５ａをそれぞれ内側へ直角に折り曲げて重ね合わせ、一方の端部５ａの中央部に設けた折り曲げ片５２を他方の端部５ａに設けた溝５３内に折り曲げて一体に固定し上方より見て長方形状の枠体に形成され、両端部５ａを折り返し片４ｆに接してマウント本体Ａ２および押さえ金具Ｂ２を取り囲むように天板４ａ上に配置される。緩衝部材５の両端部５ａと対向する中央端面５ｂの両側が中央の折れ曲げ線５５とその両側方の折れ曲げ線５６に沿って内側へ直角に折り曲げられ、中央端面５ｂおよび両側の折り曲げ部５ｃの下端部に差込片５ｄが下向きに突設される。この差込片５ｄは、天板４ａに形成された差込孔４ｃに差し込まれる。両側の折り曲げ部５ｃには切り込み５ｅがそれぞれ水平に形成され、押さえ金具Ｂ２の隅角部が嵌め込まれる。緩衝部材５の差込片５ｄのすぐ後方の両側には半円形溝５ｆがそれぞれ形成され、コンバータアームＡ４に半円形溝５ｆが嵌め込まれる。
【００３３】
抜け止め部材６は、図５に示すようにマウント本体Ａ２が開口部４ｂから下方へ抜け出すのを防止するもので、図５（ｄ）に示す段ボール紙を折れ曲げ線６１に沿ってそれぞれ外側に垂直に折り曲げて横断面凹状に形成される。この抜け止め部材６は、図２に示すマウント本体Ａ２とリフレクタＡ１との隙間（略断面門型に形成されたマウント本体Ａ２の仰角調整部とリフレクタＡ１の背面との隙間Ａ６）に後方から前方へ挿入される。なお、図５（ｄ）の符号６２は切り込み線である。
【００３４】
上記実施形態のアンテナ梱包装置１では、３段の仕切り部材３が上下方向に一連に重ね合わせた状態で外装箱２内に挿入される。この状態で、各仕切り部材３が下側に隣接する仕切り部材３両側のＬ状側辺３６・３７にて支持され、先端側の水平な側辺３７に対し上側の仕切り部材３の底面３ａを接触させ相互に滑らせるようにして仕切り部材３が引き出せるようになっている。なお、最下段の仕切り部材３だけは外装箱２の底面２ａに対し滑らせながら引き出される。また、本例では、３台のパラボラアンテナＡを梱包可能な場合を示しているが、一度に梱包するパラボラアンテナＡの台数については２台以上であれば、特に限定するものではない。
【００３５】
以上のようにして本例のアンテナ梱包装置１が構成されるが、以下にパラボラアンテナＡの梱包の態様およびパラボラアンテナＡの取り出し方法などの一例について説明する。
【００３６】
本例の場合、３台のパラボラアンテナＡを１台ずつ図３に示すように、リフレクタＡ１を下向けにして仕切り部材３上の長手方向に沿って載置する。パラボラアンテナＡは背面のマウント本体Ａ２を箱形部材４の開口部４ｂ内に下から嵌め込む。そして、リフレクタＡ１を垂直に立設される５枚の側辺４１〜４５により取り囲む。折り返し片４ｆの嵌合溝４ｇにコンバータアームＡ４が嵌め込んで天板４ａ上に載置し、コンバータＡ５を嵌合口４ｅに嵌め込み固定する。ベランダ取付金具Ｂ１はそのポールＢ２を折り返し片４ｆの開口４ｈに嵌め込み、天板４ａの下方でリフレクタＡ１の上側に収納する。また、抜け止め部材６は、図３に示すマウント本体Ａ２とリフレクタＡ１との隙間に後方から前方へ挿入する。この状態で、緩衝部材５の後ろ側の両端部５ａを折り返し片４ｆに接触させ、マウント本体Ａ２および押さえ金具Ｂ２を取り囲むように天板４ａ上に配置する。そして、折り曲げ部５ｃの下端の差込片５ｄを天板４ａの差込孔４ｃに差し込む。また、両側の折り曲げ部５ｃの切り込み５ｅに押さえ金具Ｂ２の隅角部を嵌め込んで固定し、さらにコンバータアームＡ４に半円形溝５ｆを嵌め込む。このようにして、箱形部材４にパラボラアンテナＡおよびベランダ取付金具Ｂ１が固定される。この状態で、仕切り部材３を外装箱２から一部前方に引き出し、箱形部材４とともにパラボラアンテナＡおよびベランダ取付金具Ｂ１を仕切り部材３上に載置し、仕切り部材３を外装箱２内の奥に押し込み、さらに箱形部材４を仕切り部材３上の奥まで押し込む。このようにして箱形部材４に固定した状態のパラボラアンテナＡおよびベランダ取付金具Ｂ１を、各仕切り部材３上に載置する。この状態で、外装箱２の４枚の蓋２１を図４の点線２８に沿って内側に折り曲げて閉じれば、パラボラアンテナＡおよびベランダ取付金具Ｂ１の梱包作業が終了する。
【００３７】
一方、３台のパラボラアンテナＡが梱包されたアンテナ梱包装置１は、自動車の荷台上に蓋２１を後部ドアの方に向けて載置する。このようにして、アンテナ設置現場まで自動車で搬送する。現場では、アンテナ梱包装置１における外装箱２の４枚の蓋２１を全面的に開放し、この開放状態で、通常は最上段あるいは任意の段の引き出し部材３上から引き出し口４ｄにより箱形部材４を前方へ引き出す。引き出された箱形部材４には図２に示すように、パラボラアンテナＡおよびベランダ取付金具Ｂ１が固定されている。そこで、図５に示すように緩衝部材５を取り外し、さらに図３に示すように抜け止め部材６を後方に引き抜く。この状態で、コンバータアームＡ４を取り出し、箱形部材４をリフレクタＡ１に対し上方へ持ち上げて開口部４ｂからマウント本体Ａ２を下方へ押し出せば、パラボラアンテナＡを箱形部材４から取り外せる。そして、設置する際にマウント本体Ａ２にコンバータアームＡ４の基端部を固定し、ベランダ取付金具Ｂ１をベランダに取り付け、パラボラアンテナＡをポールＢ３に取り付ける。このような作業を行ってパラボラアンテナＡの設置作業が終了した後、清掃してゴミとして箱形部材４を緩衝部材５および抜け止め部材６とともに回収して持ちかえればよい。なお、古いアンテナと取り替えた場合には、古いアンテナも持ちかえることになる。
【００３８】
上記にアンテナ梱包装置の一実施形態を示したが、下記のように実施することができる。
・仕切り部材３の両側の側辺３６を底面３ａに対し垂直に内側に折り曲げて立設し、さらに先端側３７を直角に内側に折り曲げたが、各側辺３６を底面３ａに対し垂直に内側に折り曲げて立設させ、先端側の側辺３７を省くことができる。この場合には、各段の仕切り部材３は下側の仕切り部材３の両側に立設された側辺３６で支持されることになる。
・抜け止め部材６を省くことができる。
・上記実施形態では、パラボラアンテナＡとともにベランダ取付金具Ｂ１も同梱する場合を例示したが、複数台のパラボラアンテナＡだけを梱包するようにしてもよい。
・上記実施形態では、緩衝部材５でマウント本体Ａ２と押さえ金具Ｂ２の両方を取り囲むようにしたが、マウント本体Ａ２だけを取り囲むようにしてもよい。この場合、押さえ金具Ｂ２はたとえばベランダ取付金具Ｂ１と一体で収納することができる。
【符号の説明】
【００３９】
１  アンテナ梱包装置
２  外装箱
２ａ底面
３  仕切り部材
３ａ底面
４  箱形部材
４ａ天板
４ｂ開口部
４ｃ差込孔
４ｄ引き出し口
４ｅ嵌合口
４ｆ折り返し片
４ｇ嵌合溝
４ｈ開口
５  緩衝部材
５ａ緩衝部材５の両端部
５ｂ中央端面
５ｃ折り曲げ部
５ｄ差込片
５ｅ切り込み
５ｆ半円形溝
６  抜け止め部材
２１  蓋
２２〜２５  点線（折り曲げ線）
２６  のりしろ
２７  蓋
３６  側辺
３６ａ長円形状開口
３７  先端側側辺
３８  折り曲げ線
３９  点線（折り曲げ線）
４１〜４５  側辺
４６・４７  点線（折り曲げ線）
４８  折り返し線
４１  側辺
４３  点線（折り曲げ線）
４４  折り曲げ線
４ｂ〜４ｅ嵌合溝
Ａ  パラボラアンテナ
Ａ１リフレクタ
Ａ２マウント本体
Ａ３ポール押さえ金具
Ａ４コンバータアーム
Ａ５コンバータ
Ｂ１ベランダ取付金具
Ｂ２押さえ金具
Ｂ３ポール
【図１】
2011046409.tif 000003
【図２】
2011046409.tif 000004
【図３】
2011046409.tif 000005
【図４】
2011046409.tif 000006
【図５】
2011046409.tif 000007
【図６】
2011046409.tif 000008
【図７】
2011046409.tif 000009